(57)【要約】【課題】  タグキーの完全施錠直前の引き抜きを未然に防止できると共に、タグキーの作業性を向上でき、かつ電子部品を使わない施錠、解錠の表示部を設けて成る電子錠を提供することを目的とする。【解決手段】  ラッチレバー７への予備係合状態を可能にするよう作動片２のラッチレバー７係合箇所の上側角部に係合段部４１を備える。また、ケース５２の側面にタグキーＰの回転操作部５３を突設すると共に、ケース５２の内部にＩＣタグ５４の挿入部１５を設けたタグキーＰを備える。さらに、表ケース６５の表示用突部６４にタグキーＰの回転操作部５３の回転によって施錠または解錠が認知できる表示板６２を備えている。【選択図】          図１
2005325581.tif 000002
【特許請求の範囲】
【請求項１】
電子タグを収容したタグキーの回転操作部が差し込まれる支持筒と、支持筒への回転操作部の差し込みによって直線的に往復移動するタグチェッカーと、タグチェッカーの往復方向移動によってオンとなる検知スイッチと、検知スイッチのオンによって作動するラッチ用ソレノイドによりラッチレバーへの係合とその解除方向に作動する作動片を備えた電気錠であって、ラッチレバーへの予備係合状態を可能にするよう作動片のラッチレバー係合箇所の上側角部またはラッチレバーの作動片係合箇所の上側角部に係合段部を備えたことを特徴とする電気錠。
【請求項２】
タグキーは、手首に装着されるよう可撓性を有するバンドを取り付けた硬質樹脂製のケース表面にシリアルナンバーを表示し、ケース側面には支持筒のキー貫通孔に差し込まれる回転操作部を突設すると共に、ＩＣタグを内蔵させるための挿入部がケース内部に形成されて成る請求項１または２記載の電気錠。
【請求項３】
支持筒のキー貫通孔に差し込まれた回転操作部の回転によって支持筒内で回転可能とする使用中表示板回転用の作動筒と、この作動筒と連繋して表ケースに回動自在に配設され、施錠または解錠の識別状態を認知させる表示部を布置して成る表示板とを備え、回転操作部の回転に伴い表示板が同時回転して、支持筒周囲に沿って形成された表ケースの表示用窓部に、表示板の施錠または解錠の表示部を露呈させるものとした請求項１乃至３のいずれか記載の電気錠。
【発明の詳細な説明】
【技術分野】
【０００１】
本発明は、例えば番号固定式のロッカー管理システムにおけるＩＣタグを使用した電気錠に関する。
【背景技術】
【０００２】
従来、この種の電気錠の構成としては、ＩＣタグをそれ自身が持つ製造番号である例えばシリアルナンバーを書き換えのできないＩＤとしてキーとしての意味を付け、ロッカー本体側に扉の施錠を行うロック機構、ＩＣタグの受付部、ＩＣタグにエネルギーを供給してＩＣタグとの間で送受信を行う送受信部、送受信部より接続される管理部およびこれらに対する電源供給部を一体的に構成して成る電気錠として機能させている。例えば、本出願人自身は、先に出願された特許文献１に開示された電気錠として、タグキーの差し込みと横移動に伴うタグチェッカーの往方向への移動によってオンとなる検知スイッチのオンによって作動するラッチ用ソレノイドにより、ラッチレバーへの係合解除方向に作動して施錠可能状態とする作動片を備えた技術を提案している。
【特許文献１】特願２００３−０４２６０６号
【発明の開示】
【発明が解決しようとする課題】
【０００３】
しかしながら、従来においては、作動片とラッチレバーとの係合を、作動片に設けられた係合突起とラッチレバーに設けられた施錠用溝との噛み合せによって行なっているため、完全施錠状態直前の、係合突起の一部（下側）が施錠用溝内へ入溝した状態でも施錠を検知してしまうことがあった。したがって、このとき、タグキーを強く引っ張ることで容易に抜けてしまうという不都合があった。
【０００４】
また、従来の電気錠におけるタグキーの操作には、タグ受付部（タグキャッチャーの差し込み溝）への差し込みだけでなく、差し込み後の横方向へのスライド動作を必要としていた。このため、タグ受付部の構造が複雑なものとなり、かつこれに伴ってコスト高となる一方、タグキーの２段階操作を要することから作業性が良くないという問題があった。
【０００５】
さらに、従来の電気錠では、施錠または解錠の識別状態を認知させる表示部として、ＬＥＤ等の電子部品が組み込まれていたため、製造コスト、ランニングコスト共にコスト高となると共に、電池切れや断線等の故障も生じ易い等という問題があった。
【０００６】
そこで、本発明は、叙上のような従来存した諸事情に鑑みなされたもので、タグキーの完全施錠直前の引き抜きを未然に防止できると共に、タグキーの操作作業性を向上でき、かつ電子部品を使わない施錠、解錠の表示部を設けて成るようにした電気錠を提供することを目的とする。
【課題を解決するための手段】
【０００７】
上述した課題を解決するため、本発明の請求項１にあっては、電子タグを収容したタグキーの回転操作部が差し込まれる支持筒と、支持筒への回転操作部の差し込みによって直線的に往復移動するタグチェッカーと、タグチェッカーの往復方向移動によってオンとなる検知スイッチと、検知スイッチのオンによって作動するラッチ用ソレノイドによりラッチレバーへの係合とその解除方向に作動する作動片を備えた電気錠であって、ラッチレバーへの予備係合状態を可能にするよう、作動片のラッチレバー係合箇所の上側角部またはラッチレバーの作動片係合箇所の上側角部に係合段部を備えたことを特徴とする。
【０００８】
また、請求項２にあっては、タグキーは、手首に装着されるよう可撓性を有するバンドを取り付けた硬質樹脂製のケース表面にシリアルナンバーを表示し、ケース側面には支持筒のキー貫通孔に差し込まれる回転操作部を突設すると共に、ＩＣタグを内蔵させるための挿入部がケース内部に形成されて成ることを特徴とする。
【０００９】
さらに、請求項３にあっては、支持筒のキー貫通孔に差し込まれた回転操作部の回転によって支持筒内で回転可能とする使用中表示板回転用の作動筒と、この作動筒と連繋して表ケース６５に回動自在に配設され、施錠または解錠の識別状態を認知させる表示部を布置して成る表示板とを備え、回転操作部の回転に伴い、表示板が同時回転して、支持筒周囲に沿って形成された表ケース６５の表示用窓部に、表示板の施錠または解錠の表示部を露呈させることを特徴とする。
【発明の効果】
【００１０】
本発明の請求項１によれば、施錠の途中、特に施錠の完全完了の直前において、作動片とラッチレバーとをいったん予備的に係合させることにより施錠と非施錠堺目における構造上および機能上の曖昧部分を無くし、タグキーが施錠完了前の途中で抜けるのを未然に防止することができる。
【００１１】
また、本発明の請求項２によれば、タグキーの押し込み操作にだけで施錠および解錠を行なうことができるため作業性が良い上に、タグ受付部の構造が簡略なものとなり、かつこれに伴って廉価に製造できる等の効果を有する。
【００１２】
さらに、本発明の請求項３によれば、電子部品を使わずに機械的に施錠および解錠状態を表示できるため、経費を節減できると共に、電池切れや断線等の故障を生ずることがない等の効果を有する。
【発明を実施するための最良の形態】
【００１３】
以下、図面を参照して本発明を実施するための最良の一形態を説明すると、図において示される符号Ａは、例えば番号固定式のロッカー管理システムにおけるＩＣタグ５４（図５に示す）を使用した電気錠であり、図１に示すように、作動片２と、非常用錠３と、ラッチ用ソレノイド４とがケース板１の上面に配置されている。また、ケース板１の上面には、押えプレート１０、ラッチレバー７、回転外筒１１、タグチェッカー８、回転内筒１２、キー貫通孔９ａを有する支持筒９が組み立てられた状態で配置されている。
【００１４】
このうちラッチレバー７は押えプレート１０上で回転可能に配置された回転外筒１１に係合状態で取り付けられ、タグチェッカー８は支持筒９のキー貫通孔９ａに対向すべく一端面側にキー孔を有する回転内筒１２に挿入されると共に、支持筒９内に挿入されている。
【００１５】
また、支持筒９のキー貫通孔９ａに差し込まれたタグキーＰの回転操作部の回転によって支持筒９内で回転可能とする使用中表示板回転用の作動筒６１と連繋して表ケース６５に回動自在に配設され、施錠または解錠の識別状態を認知させる表示部を布置して成る表示板６２を備え、回転操作部の回転に伴い、表示板６２が同時回転して、支持筒９周囲に沿って形成された表ケース６５の表示用窓部６４に、表示板６２の施錠または解錠の表示部を露呈させるようにしてある。
【００１６】
具体的には、回転内筒１２の上端側には、使用中表示板回転用の作動筒６１が嵌挿され、差し込まれたタグキーＰの回転によって支持筒９内で回転内筒１２と共に同軸回転するようにしてある。図３、図４、図６、図７に示すように、この作動筒６１の側面には、表ケース６５に回動自在に配設されている表示板６２の突起６２ａに嵌合するための嵌合凹部６３が突出状態で形成されており、この嵌合による正逆方向への一体回転に伴い、表示板６２が同時回転して、支持筒９周囲に沿って形成された表ケース６５の表示用窓部６４に表示板６２の、例えば赤色表示を露呈させて扉の施錠状態を認知させる（図６参照）一方、表示用窓部６４に表示板６２の、例えば青色表示を露呈させて扉の解錠状態を認知させる（図７参照）ようにしてある。
【００１７】
図２に示すように、タグチェッカー８は、その下軸８ａがスプリング１４と共に回転内筒１２内に挿入され、回転内筒１２自体は回転外筒１１内に挿入されて、回転外筒１１を貫通してロックスイッチ２３と対向している。このスプリング１４はタグチェッカー８が支持筒９の方向に移動するように付勢するものである。また、このタグチェッカー８は、図３に示すように、タグキーＰの差し込み突起状の回転操作部５３を支持筒９のキー貫通孔９ａに差し込むことにより直線上下方向に往復移動する。さらに、タグチェッカー８の下軸８ａと反対側の上端部側には、回転操作部５３によって押圧される突子８ｃが形成されている。この突子８ｃは、回転内筒１２のキー孔を通って支持筒９のキー貫通孔９ａ内で露出することにより上方から差し込まれたタグキーＰの回転操作部５３との係合が可能となっている。
【００１８】
支持筒９は、回転内筒１２と共にタグチェッカー８が挿入され、回転外筒１１を挿入した後、この回転外筒１１下端にラッチレバー７を嵌合させてから押えプレート１０をネジ止めすることによりタグチェッカー８と一体となっている。この支持筒９の上端部には、既述したようにタグキーＰの回転操作部５３を差し込むためのキー貫通孔９ａが形成されている。
【００１９】
作動片２はケース板１に回転可能に取り付けられており、ラッチレバー７の施錠用溝７ａに係合する係合突起２ａがラッチレバー７に対向して形成され、非常用錠３の作動アーム１６が係合する係合凹部２ｂが非常用錠３に対向して形成されている。
【００２０】
また、施錠時にラッチレバー７の抜けを防止してそのロックを確実に行わせるよう作動片２に２段式ロック機構が設けられている。この２段式ロック機構は、作動片２の係合突起２ａ先端の上側角部を一部切欠した係合段部４１となって形成されており、ラッチレバー７の施錠完了の直前にいったん施錠用溝７の前方角部７ｂが予備的な係合状態となるようにしてある。すなわち、このラッチレバー７は、作動片２との間でこのような予備的な係合があった後に完全な本施錠が行われるという２段式ロックとなっている。
【００２１】
また、作動片２はラッチ用ソレノイド４の可動軸４ａにピン４ｂを介して時計廻り方向または反時計廻り方向へ回動自在に軸支されると共に、可動軸４ａには作動片２を反時計廻り方向へ回動付勢するコイルスプリング４ｃが巻装されている。
【００２２】
さらに、前記ラッチ用ソレノイド４にはタイマー機構７１が接続されている。このタイマー機構７１は、ラッチレバー７の施錠状態でタグキーＰの回転操作部５３を支持筒９のキー貫通孔９ａに差し込むことによって作動し、同時にラッチ用ソレノイド４の働きにより時計廻り方向へ回動した作動片２が、例えば５秒後に反時計廻り方向へ回動復帰し、施錠状態を維持するものとしてある。したがって、このような場合は、いったんタグキーＰの回転操作部５３を支持筒９のキー貫通孔９ａから抜いてから再度差し込む。
【００２３】
一方、非常用錠３は、表ケース６５の正面側に露出して非常キーが差し込まれるキー孔３ａが形成されていると共に、非常キーの回動と共に回動する作動アーム１６が取り付けられている。非常用錠３は電池切れ、断線等の故障あるいは、緊急時に非常キーが差し込まれることにより電気錠を解錠可能とするものである。この非常用錠３および支持筒９が表ケース６５から露出しており、その他の部材は表ケース６５内に格納されている。
【００２４】
本形態の電気錠においては、図１に示すように、ラッチ用ソレノイド４を作動させるためのロックスイッチ２３が配置されると共に、非常スイッチ２１が作動アーム１６の近接位置に配置されている。
【００２５】
図５に示すように、本形態の電気錠に適用されるタグキーＰは、手首に装着されるよう可撓性を有した非磁性の合成樹脂からなるコイル状のバンド５１を取り付けた硬質樹脂製のケース５２によって形成され、ケース５２表面にはロッカー番号等のシリアルナンバーを表示し、ケース５２側面には支持筒９のキー貫通孔９ａに差し込まれる、例えば約５ｍｍ程度の短尺な回転操作部５３を突設して成る。この回転操作部５３は、円形の中央孔の両側対称位置に略矩形状の係合孔を有する支持筒９のキー貫通孔９ａに対応して、円柱状の中央突起５３ａの両側対称箇所に直方体状の一対の係合突起５３ｂを形成して成る。そして、回転操作部５３とは反対側のケース５２側面にはＩＣタグ５４を内蔵させるための挿入部５５が形成され、この挿入部５５に挿入されたＩＣタグ５４と電気錠との間でデータの送受信が行われるようにしてある。
【００２６】
次に、本実施形態における電気錠の作動について説明すれば、タグキーＰの回転操作部５３を支持筒９のキー貫通孔９ａに差し込んでない状態では、タグチェッカー８の下軸８ａがロックスイッチ２３と非接触状態にある。キーの回転操作部５３を支持筒９のキー貫通孔９ａに差し込むことにより、回転操作部５３の中央突起５３ａがタグチェッカー８の突子８ｃと接触するため、タグチェッカー８がロックスイッチ２３方向すなわち往方向に移動する。これにより、下軸８ａがロックスイッチ２３に接触して回路接続状態となる。
【００２７】
次いで、図８乃至図１１に示すように、タグキーＰの回転操作部５３を支持筒９のキー貫通孔９ａに差し込んだ状態でもって回転操作部５３をロック位置またはオープン位置に回転させることでラッチレバー７の施錠および解錠を行うことができる。
【００２８】
詳しくは、先ず図８に示す施錠状態で、タグキーＰの回転操作部５３を支持筒９のキー貫通孔９ａに差し込むと、タグチェッカー８の下軸ａがロックスイッチ２３に接触してラッチ用ソレノイド４を作動して可動軸４ａを後退させることにより作動片２を時計廻り方向へ回動させる。
【００２９】
これによって、ラッチレバー７の施錠用溝７ａに係合している作動片２の係合突起２ａが外れてラッチレバー７はフリーとなるため、タグキーＰの回転操作部５３を時計廻り方向へ回転させることでラッチレバー７は図９を経て最終的には図１０に示した解錠位置まで回転することができる。
【００３０】
ロッカーに物品収納後、ラッチレバー７の回転操作部５３を反時計廻り方向へ回転させると、ラッチレバー７は図８に示した施錠位置まで回転すると同時に、ラッチ用ソレノイド４が再び作動して可動軸４ａを進出させることにより作動片２を反時計廻り方向へ回動させる。
【００３１】
このとき、ラッチレバー７の完全施錠の直前において、図１１に示したように作動片２の係合突起２ａに設けられた係合段部４１にラッチレバー７の施錠用溝７ａの上側角部７ｂが予備的に係合し、その後係合突起２ａが施錠用溝７ａへ完全係合し、施錠が完了するものである。
【００３２】
そして、この動作中、作動片２は作動軸４ａに巻装されたコイルスプリング４ｃによって反時計廻り方向へ付勢されている。これによって作動片２の係合突起２ａおよび係合段部４１のラッチレバー７の施錠用溝７ａおよびその角部７ｂへの係合が安定して行なわれ、本施錠完了直前のタグキーＰの抜けを防ぐことができる。
【００３３】
電気錠の故障や緊急時においては、図１２乃至図１４に示すように、非常用錠３のキー孔３ａに非常キーを差し込んで反時計廻り方向に回転させる。これにより、作動アーム１６が同方向に回動して作動片２の係合凹部２ｂに入り込んで作動片２を時計方向に回動させる。この回動により、作動片２がラッチレバー７との係合から外れるため、ラッチレバー７がフリーとなって解錠が可能となる。このときキーの回転操作部５３は支持筒９のキー貫通孔９ａに差し込んだ状態でもってＩＣタグ５４によるデータの送受信が行われるため、施錠および解錠が安全に行える。
【００３４】
ところで、図１５および図１６は、既述した２段式ロック機構のほかの実施形態を示すもので、作動片２には係合突起２ａのみを形成する一方、ラッチレバー７側にその施錠用溝７ａの上側角部７ｂを一部切欠して係合段部４２を形成して成る。この場合も作動片２の係合突起２ａがラッチレバー７の施錠用溝７ａに係合する直前に、係合突起２ａの上側角部２ｂがラッチレバー７の施錠用溝７ａの上側角部７ｂに設けられた係合段部４２へ予備的に係合し、既述実施形態と同様に作動するものとなっている。
【図面の簡単な説明】
【００３５】
【図１】本発明を実施するための最良の形態を示す要部の分解斜視図である。
【図２】同じく回転操作部の差し込み途中を示す斜視図である。
【図３】同じく回転操作部の差し込み完了を示す断面図である。
【図４】同じく回転操作部の回転による表示部の動作を示す平面図である。
【図５】同じくキーを示すもので、（ａ）は正面図、（ｂ）は側面図、（ｃ）は（ａ）のＡ−Ａ断面図である。
【図６】同じく施錠状態の表ケース６５の平面図である。
【図７】同じく解錠状態の表ケース６５の平面図である。
【図８】ラッチレバーのロック状態を示す平面図である。
【図９】作動片によるラッチレバーの解錠途中を示す平面図である。
【図１０】作動片によるラッチレバーのロックを解除し解錠状態とした平面図である。
【図１１】作動片によるラッチレバーの施錠途中を示す平面図である。
【図１２】非常用錠の作動初期を示す平面図である。
【図１３】非常用錠を作動させてラッチレバーの解錠途中を示す平面図である。
【図１４】非常用錠を作動させてラッチレバーのロックを解除した状態を示す平面図である。
【図１５】他の実施形態において作動片によるラッチレバーのロックを解除し解錠状態とした平面図である。
【図１６】他の実施形態において作動片によるラッチレバーの施錠途中を示す平面図である。
【符号の説明】
【００３６】
１    電気錠
２ａ  係合突起
２ｂ  下側角部
２    作動片
３    非常用錠
４    ラッチ用ソレノイド
７    ラッチレバー
７ａ  施錠用溝
７ｂ  上側角部
８    タグチェッカー
１０  作動アーム
２１  非常用スイッチ
２３  ロックスイッチ
４１  係合段部
４２  係合段部
５３  回転操作部
６１  作動筒
６２  表示板
６４  表示用窓部
７１  タイマー機構
Ｐ    タグキー
【図１】
2005325581.tif 000003
【図２】
2005325581.tif 000004
【図３】
2005325581.tif 000005
【図４】
2005325581.tif 000006
【図５】
2005325581.tif 000007
【図６】
2005325581.tif 000008
【図７】
2005325581.tif 000009
【図８】
2005325581.tif 000010
【図９】
2005325581.tif 000011
【図１０】
2005325581.tif 000012
【図１１】
2005325581.tif 000013
【図１２】
2005325581.tif 000014
【図１３】
2005325581.tif 000015
【図１４】
2005325581.tif 000016
【図１５】
2005325581.tif 000017
【図１６】
2005325581.tif 000018